(57)【要約】【課題】ファイルに綴じられた撮像対象物の外郭を容易に検出可能な技術を提供する。【解決手段】撮像対象物と、撮像補助シートと、撮像対象物と前記撮像補助シートとを綴じるファイルと、撮像手段と、撮像対象物と撮像補助シートとを撮像すると、撮像された画像を原画像データとして取得し、原画像データから撮像対象物に相当する画像データを切り出して切出画像をデータとして取得する中央処理装置と、切出画像のデータを登録する画像データ保存手段と、を有する画像処理システムに用いられる撮像補助シートであって、ファイルに設けられた挿通具を挿通させてファイルに綴じるための被挿通部を有し、被挿通部は、撮像補助シートが、挿通具を挿通した状態で、第１の位置と第２の位置とをスライド移動自在であり、第２の位置では、補助シートの外周が撮像対象物の外周の外側に位置し、中央処理装置が撮像対象物と撮像補助シートとの色値の違いを検出する。【選択図】図１
2014120935.tif 000002
【特許請求の範囲】
【請求項１】
撮像対象物と、当該撮像対象物の色値とは異なる色値で形成された撮像補助シートと、前記撮像対象物と前記撮像補助シートとを挿通具を用いて綴じるファイルと、撮像手段と、前記撮像補助シートの上に前記撮像対象物を載置して前記撮像手段が前記撮像対象物と前記撮像補助シートとを撮像すると、撮像された画像を原画像データとして取得し、当該原画像データから前記撮像対象物と前記撮像補助シートとの色値の違いを検出して前記撮像対象物に相当する画像データを切り出して切出画像をデータとして取得する処理を行う中央処理装置と、当該切出画像のデータを登録する画像データ保存手段と、を有する画像処理システムに用いられる撮像補助シートであって、
前記撮像補助シートは、前記ファイルに設けられた前記挿通具を挿通させて当該ファイルに綴じるための被挿通部を有し、
前記被挿通部は、前記撮像補助シートが、前記挿通具を挿通した状態で、第１の位置と第２の位置とをスライド移動自在に形成され、
前記挿通具が前記第２の位置にあるとき、前記補助シートの外周が前記撮像対象物の外周の外側に位置し、前記中央処理装置が前記原画像データから前記撮像対象物と前記撮像補助シートとの色値の違いを検出する、
撮像補助シート。
【請求項２】
前記被挿通部は、前記撮像補助シートの一側端の近傍に設けられた第１端部と、前記一側端との距離よりも前記第２端部と前記一側端との距離のほうが長くなる位置に設けられた第２端部とを少なくとも有し、
前記撮像補助シートが、前記挿通具と前記第１端部とが接近する第１の位置と、前記挿通具と前記第２端部とが接近する第２の位置と、の間をスライド移動自在である、
請求項１に記載の撮像補助シート。
【請求項３】
前記被挿通部は、前記第１端部と前記第２端部とを結ぶ方向と直行する方向の長さが、前記挿通具の直径と略同じである、
請求項１または請求項２に記載の撮像補助シート。
【請求項４】
前記撮像補助シートは、前記撮像対象物よりも大きな面積を有し、前記撮像補助シートと前記撮像対象物とがともにファイルに綴じられた状態で当該撮像補助シートが前記第２の位置にあるとき、両者が互いに重合すると、前記撮像補助シートの外周はすべて前記撮像対象物の外周の外側に位置する、
請求項１から請求項３の何れか１項に記載の撮像補助シート。
【請求項５】
前記撮像補助シートは、前記撮像補助シートと前記撮像対象物とがともにファイルに綴じられた状態で当該撮像補助シートが前記第１の位置にあるとき、両者が互いに重合すると、前記撮像対象物の一側端は、前記撮像補助シートの一側端の外側に位置しない、
請求項１から請求項４の何れか１項に記載の撮像補助シート。
【請求項６】
前記撮像補助シートは、前記第１端部から撮像補助シートの一側端にかけて連設され、前記撮像補助シートが前記第１の位置にあるとき、当該第１の位置から前記第２の位置へ向かう方向と逆の方向へスライド移動させて前記撮像補助シートを前記挿通具から離脱させるための通過部を有する、
請求項２から請求項５の何れか１項に記載の撮像補助シート。
【請求項７】
撮像対象物と、当該撮像対象物の色値とは異なる色値で形成された撮像補助シートと、前記撮像対象物と前記撮像補助シートとを挿通具を用いて綴じるファイルと、撮像手段と、前記撮像補助シートの上に前記撮像対象物を載置して前記撮像手段が前記撮像対象物と
前記撮像補助シートとを撮像すると、撮像された画像を原画像データとして取得し、当該原画像データから前記撮像対象物と前記撮像補助シートとの色値の違いを検出して前記撮像対象物に相当する画像データを切り出して切出画像をデータとして取得する処理を行う中央処理装置と、当該切出画像のデータを登録する画像データ保存手段と、を有する画像処理システムに用いられるファイルであって、
前記撮像補助シートは、前記ファイルに設けられた前記挿通具を挿通させて当該ファイルに綴じるための被挿通部を有し、
前記被挿通部は、前記撮像補助シートの一側端の近傍に設けられた第１端部と、前記一側端との距離よりも前記第２端部と前記一側端との距離のほうが長くなる位置に設けられた第２端部とを少なくとも有し、
前記撮像補助シートが、前記挿通具と前記第１端部とが接近する第１の位置と、前記挿通具と前記第２端部とが接近する第２の位置と、の間をスライド移動自在である、
ファイル。
【発明の詳細な説明】
【技術分野】
【０００１】
本発明は、デジタルカメラや携帯端末のカメラ機能を用いてドキュメントを撮像する際に用いる、撮像補助シート、及びファイルの技術に関する。
【背景技術】
【０００２】
コンパクトなデジタルカメラ、携帯電話やスマートフォンに搭載されたデジタルカメラは、数百万画素以上の高精度撮影が可能になってきており、風景や人物等の撮影のみならず、紙製のドキュメント、メモや名刺等を撮影するために用いられることが多くなってきている。
【０００３】
代表的なスマートフォンであるアップル社のｉＰｈｏｎｅ（登録商標）等に搭載されたデジタルカメラで撮影した紙媒体の表面画像を読み込んで、当該紙媒体の所定位置に設けられたシンボルコードを検出して、当該シンボルコードを基準に算出された所定領域にある画像データのみを切り出して切出画像データとして取得してこれを保存することができる画像処理システムが知られている（特許文献１）。
【０００４】
また、綴込用具の一例として、綴込用具に嵌合する嵌合孔の上部、下部、又は上下部に嵌合孔を設け嵌合孔間を切断した用紙や、複数の嵌合孔が括れ部を介して接するように設けられた用紙が知られている（特許文献２、３）。
【先行技術文献】
【特許文献】
【０００５】
【特許文献１】特許第４９０４４２６号公報
【特許文献２】実開昭４９−９０２２３号公報
【特許文献３】特開平１１−１１５３６４号公報
【発明の概要】
【発明が解決しようとする課題】
【０００６】
携帯端末などのデジタルカメラを用いて紙製のドキュメント、メモや名刺等の撮像対象物を撮影し画像データを保存する技術が普及している。撮像対象物が例えば白色の場合には、撮像対象物の黒色のシートを配置することで、撮像対象物とシートとの色値差により、撮像対象物の外郭を検出して、画像データを取り込むことができる。このような技術において、撮像対象物の外郭を検出するためには、撮像対象物の外周の外側にシートの外周が位置する必要がある。
【０００７】
上記技術を応用して、挿通具を有するファイルに綴じられた撮像対象物の画像データを保存する場合には、撮像対象物と共にシートもファイルに綴じることが考えられる。これにより、シートの紛失を抑制することができ、持ち運びも容易となり、利便性も向上する。但し、撮像対象物の外周の外側にシートの外周が位置するようにシートを綴じると、シートをめくる際、挿通具側のシートの端部がファイルの背の内側と干渉する。その結果、シートをめくる動作が阻害されるだけでなく、ファイルに綴じられた撮像対象物をめくる動作も阻害されてしまう。
【０００８】
本発明はこのような点に鑑みてなされたものであり、ファイルに綴じられた撮像対象物の外郭を容易に検出可能な技術を提供することを課題とする。
【課題を解決するための手段】
【０００９】
上記課題を解決するため、本発明は、以下の手段を採用した。すなわち、本発明は、撮像対象物と、当該撮像対象物の色値とは異なる色値で形成された撮像補助シートと、前記撮像対象物と前記撮像補助シートとを挿通具を用いて綴じるファイルと、撮像手段と、前記撮像補助シートの上に前記撮像対象物を載置して前記撮像手段が前記撮像対象物と前記撮像補助シートとを撮像すると、撮像された画像を原画像データとして取得し、当該原画像データから前記撮像対象物と前記撮像補助シートとの色値の違いを検出して前記撮像対象物に相当する画像データを切り出して切出画像をデータとして取得する処理を行う中央処理装置と、当該切出画像のデータを登録する画像データ保存手段と、を有する画像処理システムに用いられる撮像補助シートであって、前記撮像補助シートは、前記ファイルに設けられた前記挿通具を挿通させて当該ファイルに綴じるための被挿通部を有し、前記被挿通部は、前記撮像補助シートが、前記挿通具を挿通した状態で、第１の位置と第２の位置とをスライド移動自在に形成され、前記挿通具が前記第２の位置にあるとき、前記補助シートの外周が前記撮像対象物の外周の外側に位置し、前記中央処理装置が前記原画像データから前記撮像対象物と前記撮像補助シートとの色値の違いを検出する。
【００１０】
本発明では、撮像補助シートに被挿通部が設けられ、挿通具を挿通した状態で、撮像補助シートが第１の位置と第２の位置とをスライド移動自在である。そのため、挿通具が第２の位置にあるとき、補助シートの外周が撮像対象物の外周の外側に位置する。その結果、中央処理装置が原画像データから撮像対象物と撮像補助シートとの色値の違いを検出することができる。また、第１の位置は、ファイルに綴じられた撮像対象物や撮像補助シートをめくり易い位置とすることができる。第１の位置をめくり易い位置とすることで、めくり易く、かつ、ファイルに綴じられた撮像対象物の外郭を容易に検出可能な技術を提供することができる。なお、携帯端末は、携帯端末とネットワークを介して接続されたサーバの記憶装置に、画像データを送信する送信手段を更に備える構成としてもよい。
【００１１】
ここで、前記被挿通部は、前記撮像補助シートの一側端の近傍に設けられた第１端部と、前記一側端との距離よりも前記第２端部と前記一側端との距離のほうが長くなる位置に設けられた第２端部とを少なくとも有し、前記撮像補助シートが、前記挿通具と前記第１端部とが接近する第１の位置と、前記挿通具と前記第２端部とが接近する第２の位置と、の間をスライド移動自在としてもよい。第１の位置では、挿通具が、撮像補助シートの一側端の近傍に設けられた第１端部と接近するため、撮像補助シートの端部がファイルの背と干渉することが抑制される。そのため、ファイルに綴じられた撮像対象物や撮像補助シートを容易にめくることができる。また、第２の位置では、挿通具が、挿通具と一側端との距離よりも第２端部と一側端との距離のほうが長くなる位置に設けられた第２端部と接近するため、補助シートの外周が撮像対象物の外周の外側に位置する。その結果、中央処理装置が原画像データから撮像対象物と撮像補助シートとの色値の違いを検出することができる。
【００１２】
また、前記被挿通部は、前記第１端部と前記第２端部とを結ぶ方向と直行する方向の長さが、前記挿通具の直径と略同じとしてもよい。これにより、挿通具と被挿通部との間に適度の抵抗が生じる。その結果、撮像補助シートの移動を抑制することができ、撮像補助シートを任意の位置（例えば、第１の位置又は第２の位置）で固定することができる。
【００１３】
また、前記撮像補助シートは、前記撮像対象物よりも大きな面積を有し、前記撮像補助シートと前記撮像対象物とがともにファイルに綴じられた状態で当該撮像補助シートが前記第２の位置にあるとき、両者が互いに重合すると、前記撮像補助シートの外周はすべて前記撮像対象物の外周の外側に位置するようにしてもよい。撮像補助シートは、撮像対象物よりも大きな面積とすることで、より確実に補助シートの外周を撮像対象物の外周の外側に位置させることができる。なお、撮像対象物で覆われる領域は、例えば一部がくり抜かれていてもよく、撮像補助シートは必ずしも撮像対象物よりも大きな面積でなくともよ
い。また、撮像補助シートの外周がすべて撮像対象物の外周の外側に位置するようにすることで、撮像対象物の外郭の検出がより確実となる。但し、例えば、撮像補助シートの外周の一部が撮像対象物の外周の外側の位置しない領域が存在しても、中央処理装置が保管処理を行うことで、周囲の位置関係から撮像対象物の外郭（外周の位置）は補完することができる。したがって、撮像補助シートの外周の全てが撮像対象物の外側に位置しなくてもよい。
【００１４】
また、前記撮像補助シートは、前記撮像補助シートと前記撮像対象物とがともにファイルに綴じられた状態で当該撮像補助シートが前記第１の位置にあるとき、両者が互いに重合すると、前記撮像対象物の一側端は、前記撮像補助シートの一側端の外側に位置しないようにしてもよい。これにより、撮像補助シートとファイルの背との干渉が抑制され、容易に撮像補助シートや撮像対象物をめくることができる。
【００１５】
また、前記撮像補助シートは、前記第１端部から撮像補助シートの一側端にかけて連設され、前記撮像補助シートが前記第１の位置にあるとき、当該第１の位置から前記第２の位置へ向かう方向と逆の方向へスライド移動させて前記撮像補助シートを前記挿通具から離脱させるための通過部を有するようにしてもよい。これにより、挿通具を開閉することなく、撮像補助シートをファイルに対して脱着自在となり、利便性が向上する。
【００１６】
本発明は、以下のように特定してもよい。すなわち、本発明は、撮像対象物と、当該撮像対象物の色値とは異なる色値で形成された撮像補助シートと、前記撮像対象物と前記撮像補助シートとを挿通具を用いて綴じるファイルと、撮像手段と、前記撮像補助シートの上に前記撮像対象物を載置して前記撮像手段が前記撮像対象物と前記撮像補助シートとを撮像すると、撮像された画像を原画像データとして取得し、当該原画像データから前記撮像対象物と前記撮像補助シートとの色値の違いを検出して前記撮像対象物に相当する画像データをのみを切り出して切出画像をデータとして取得するための処理を行う中央処理装置と、当該切出画像のデータを登録する画像データ保存手段と、により構成される画像処理システムに用いられる撮像補助シートであって、前記撮像補助シートは、前記ファイルに設けられた前記挿通具を挿通させて当該ファイルに綴じるための綴じ孔部を有し、前記綴じ孔部は、前記撮像補助シートを第１の位置で前記ファイルに綴じるための第１綴じ孔部と、前記第１の位置と異なる第２の位置で前記ファイルに綴じるための第２綴じ孔部と、を有し、前記第１綴じ孔部は前記撮像補助シートの一側端の近傍に配され、前記第２綴じ孔部は、前記第１綴じ孔部と前記一側端との距離よりも前記第２綴じ孔部と前記一側端との距離のほうが長くなる位置に配される。第１の位置、第２の位置を夫々孔部によって形成することで、撮像補助シートの第１の位置又は第２の位置における移動を規制することができる。
【００１７】
また、前記撮像補助シートは、前記第１綴じ孔部と前記第２綴じ孔部とはスライド孔部を介して連設され、前記挿通具が前記第１綴じ孔部もしくは前記第２綴じ孔部に挿通した状態で、前記挿通具が一方の挿通具から前記スライド孔部を経て他方の綴じ孔部へ移動自在としてもよい。これにより、挿通具を開閉することなく、撮像補助シートを第１の位置又は第２の位置へ自在に移動させることができる。
【００１８】
また、前記第１綴じ孔部および前記第２綴じ孔部は、ともに前記挿通具の断面積よりも大きい面積を有する略円形であり、前記スライド孔部は、前記第１綴じ孔部と前記第２綴じ孔部とを結ぶ方向と直行する方向の長さが前記第１綴じ孔部および前記第２綴じ孔部の直径よりも短く、且つ前記挿通具がスライド移動することが可能な幅を有するようにしてもよい。これにより、撮像補助シートを第１の位置、又は第２の位置に誘導することができ、また、第１の位置、又は第２の位置での移動を規制することができる。
【００１９】
ここで、本発明は、上述した画像処理システムで用いられる、撮像手段、中央処理装置、画像データ保存手段を備える携帯端末として特定することもできる。また、本発明は、上述した中央処理装置で実行可能な画像処理プログラムとして特定することができる。例えば、本発明は、携帯端末の中央処理装置に、撮像対象物の色値とは異なる色値で形成された撮像補助シートの上に前記撮像対象物を載置して撮像手段で前記撮像対象物と前記撮像補助シートとを撮像すると、撮像された画像を原画像データとして取得し、当該原画像データから前記撮像対象物と前記撮像補助シートとの色値の違いを検出して前記撮像対象物に相当する画像データを切り出して切出画像をデータとして取得する処理ステップと、当該切出画像のデータを登録する画像データ保存ステップとを実行させ、前記撮像補助シートは、前記ファイルに設けられた前記挿通具を挿通させて当該ファイルに綴じるための被挿通部を有し、前記被挿通部は、前記撮像補助シートが、前記挿通具を挿通した状態で、第１の位置と第２の位置とをスライド移動自在に形成され、前記処理ステップでは、前記挿通具が前記第２の位置にあるとき、前記補助シートの外周が前記撮像対象物の外周の外側に位置し、前記中央処理装置が前記原画像データから前記撮像対象物と前記撮像補助シートとの色値の違いを検出する、画像処理プログラムである。また、本発明は、上述した携帯端末で実行可能な画像処理方法として特定することができる。
【００２０】
また、本発明は、上述した携帯端末と、この携帯端末とネットワークを介して接続されるサーバであって、画像データを記憶する記憶装置を有するサーバとを備える画像処理システムとして特定することもできる。画像処理システムには、上述した撮像補助シート、ファイルのうち、少なくとも何れか一つを含めてもよい。
【発明の効果】
【００２１】
本発明によれば、ファイルに綴じられた撮像対象物の外郭を容易に検出可能な技術を提供することができる。
【図面の簡単な説明】
【００２２】
【図１】図１は、第１実施形態に係る画像処理システムを説明する図を示す。
【図２】図２は、第１実施形態に係るファイルの挿通具を開いた状態を示す。
【図３】図３は、第１実施形態に係る撮像補助シートが第１の位置にある状態の斜視図を示す。
【図４】図４は、第１実施形態に係る撮像補助シートが第２の位置にある状態の上面図を示す。
【図５Ａ】図５Ａは、第１実施形態に係る撮像補助シートが第１の位置にある状態の上面図を示す。
【図５Ｂ】図５Ｂは、第１実施形態に係る撮像補助シートが第２の位置にある状態を示す。
【図６Ａ】図６Ａは、第１実施形態に係るカメラ付きスマートフォンの構成図を示す。
【図６Ｂ】図６Ｂは、第１実施形態に係る画像処理システムをネットワークで利用する場合の説明図を示す。
【図７】図７は、第１実施形態に係る画像処理システムで行われる画像処理フローを示す。
【図８】図８は、第２実施形態に係る撮像補助シートが綴じられたファイルを示す。
【図９Ａ】図９Ａは、第２実施形態に係る撮像補助シートが第１の位置にある状態の上面図を示す。
【図９Ｂ】図９Ｂは、第２実施形態に係る撮像補助シートが第２の位置にある状態の上面図を示す。
【図１０】図１０は、第３実施形態に係る、用紙及び撮像補助シートが綴じられたファイルを示す。
【図１１】図１１は、第４実施形態に係る、用紙及び撮像補助シートが綴じられたファイルを示す。
【図１２】図１２は、第５実施形態に係る、用紙及び撮像補助シートが綴じられたファイルを示す。
【図１３】図１３は、第６実施形態に係る、用紙及び撮像補助シートが綴じられたファイルを示す。
【図１４】図１４は、第７実施形態に係る、用紙及び撮像補助シートが綴じられたファイルを示す。
【図１５】図１５は、第８実施形態に係る、用紙及び撮像補助シートが綴じられたファイルを示す。
【図１６】図１６は、第９実施形態に係る、用紙及び撮像補助シートが綴じられたファイルを示す。
【図１７】図１７は、第１０実施形態に係る、用紙及び撮像補助シートが綴じられたファイルを示す。
【発明を実施するための形態】
【００２３】
以下に、図面を参照して本発明の実施形態として、携帯端末としてのスマートフォン１、ファイル２、撮像補助シート３、用紙４（撮像対象物）を含む画像処理システムを例に説明する。なお、以下の実施形態の構成は例示であり、本発明はこの実施の形態の構成に限定されるものではない。
【００２４】
＜第１実施形態＞
図１に示すように、第１実施形態に係る画像処理システムは、携帯端末としてのカメラ付きスマートフォン１、ファイル２、撮像補助シート３、撮像対象物としての用紙４を含む。
【００２５】
＜＜ファイル＞＞
図１から図４に示すように、ファイル２は、表表紙２１、背表紙２２、裏表紙２３、挿通具２４によって構成されている。第１実施形態に係るファイル２は、背表紙２２の幅方向の両端部の薄肉ヒンジを介して表表紙２１及び裏表紙２３が連なっている。また、背表紙２２の内側には、開閉自在な２つのＯ型リングからなる挿通具２４が設けられている。挿通具２４を開状態とすることで、挿通具２４に対応する位置に孔４１が形成された用紙４をファイル２に綴じることができる。また、挿通具２４を閉状態とすることで、用紙４を綴じたまま、自由にめくることができる。ファイル２や撮像補助シート３の色は特に限定されない。なお、ファイル２の態様は、上記に限定されるものではない。ファイル２には、既存のファイルを適宜用いることができる。
【００２６】
＜＜撮像補助シート＞＞
撮像補助シート３は、用紙４の色値とは異なる色値で形成され、かつ、用紙４の面積よりも大きい面積を有している。第１実施形態では、用紙４が白色であり、撮像補助シート３は黒色である。撮像補助シート３と用紙４の色値が異なっていればよく、配色は上記に限定されない。撮像補助シート３には、挿通具２４が挿通する細長状の被挿通部３０が、挿通具２４に対応する位置に２カ所設けられている。被挿通部３０の幅は、挿通具２４の径とほぼ同じである。被挿通部３０は、通過部３１、第１端部３２、第２端部３３を含む。通過部３１は、撮像補助シート３の挿通具２４側の一側端に設けられ、間口は挿通具２４の径よりも大きく、他側端側（被挿通部３０側）に向けて徐々に狭くなっており、被挿通部３０と連通している。第１端部３２は、被挿通部３０の挿通具２４側（一側端側）の端部である。通過部３１は、挿通具２４の径よりも狭く形成されている。第２端部３３は、被挿通部３０とは反対側（他側端側）の端部である。図５Ａに示すように、挿通具２４が第１端部３２と接する第１の位置にあるとき、撮像補助シート３の外周のうち、挿通具
２４側（一側端側）の辺を除く３辺が、用紙４の外周の外側に位置する。一方、図５Ｂに示すように、挿通具２４が第２端部３３と接する第２の位置にあるとき、撮像補助シート３の全ての外周が用紙４の外周の外側に位置する。被挿通部３０の長さは、撮像補助シート３が第２の位置にあるとき、撮像補助シート３のスライド方向における、用紙４の外周の外側に露出する撮像補助シート３の露出領域に基づいて設計されている。すなわち、被挿通部３０の長さは、撮像補助シート３が第２の位置にあるとき、撮像補助シート３のスライド方向において、用紙４の外周の外側に撮像補助シート３が露出するよう設計されている。露出領域は、スマートフォン１のカメラ１１で用紙４及び撮像補助シート３を撮影した際に、中央処理装置１２が撮像補助シート３として認識できる程度の面積を有していればよい。
【００２７】
＜＜スマートフォン＞＞
図６Ａは、第１実施形態に係るカメラ付きスマートフォンの構成図を示す。スマートフォン１は、たとえばアップル社のｉＰｈｏｎｅ（登録商標）、Android携帯（Android：登録商標）である。
【００２８】
スマートフォン１では、カメラ１１が撮像補助シート３の上に用紙４が載置された状態で用紙４と撮像補助シート３とが撮像されると、中央処理装置（ＣＰＵ）１２によって、撮像された画像が原画像データとして取得され、原画像データから用紙４と撮像補助シート３との色値の違いが検出される。すなわち、色値の違いにより、用紙４の外郭が認識され、用紙４が検出される。検出された用紙４に相当する画像データが切り出され切出画像データとしてメモリユニット１７に保存される。
【００２９】
スマートフォン１の本体には、ホームボタン１４が設けられており、ディスプレイ１５に表示されるアイコンやメニューをホーム画面に復帰させたり、カメラ１１のシャッターとして機能させるようになっている。
【００３０】
スマートフォン１は、中央処理装置１２を中心にメインメモリ１３、バス１６を介して接続されたメモリユニット１７、通信インターフェース１８、カメラ１１、ホームボタン１４、タッチパネル１９とディスプレイ１５が一体化されたタッチパネルディスプレイ、スピーカ２０を有している。
【００３１】
通信インターフェース１８は、図６Ｂに示すように、無線電話回線を通じて基地局５１を経由して汎用のネットワーク５２に接続可能となっている。また、この通信インターフェース１８は、無線ＬＡＮのアクセスポイント５３と通信可能となっており、いずれかの通信手段を経由してネットワーク５２への接続が可能となっている。
【００３２】
メモリユニット１７には、オペレーティングシステム（ＯＳ）とともに、画像処理アプリケーションプログラム（ＡＰＬ）、原画像データや文字情報を保持するためのユーザデータエリア（ＵＤＴ）が設けられている。
【００３３】
用紙４と撮像補助シート３の撮像およびその画像処理は、メモリユニット１７の画像処理アプリケーションプログラム（ＡＰＬ）をバス１６およびメインメモリ１３を介して中央処理装置１２が読み込んで順次実行することによって実現される。
【００３４】
＜＜画像処理＞＞
次に、第１実施形態に係る画像処理システムで行われる画像処理について説明する。図７は、第１実施形態に係る画像処理システムで行われる画像処理フローを示す。画像処理の準備工程として、ユーザによって、撮像補助シート３が第１の位置にスライドされる。これにより、図５Ｂに示すように、撮像補助シート３の全ての外周が用紙４の外周の外側
に位置する。
【００３５】
ステップ０１では、ユーザのタッチパネル１９のタッチ操作により、本画像処理アプリケーションプログラム（ＡＰＬ）が選択されると、中央処理装置１２は、画像処理アプリケーションプログラム（ＡＰＬ）を起動する。これにより、カメラ１１の機能が作動状態となり、撮像対象物である用紙４の撮影が可能となる。画像処理アプリケーションプログラム（ＡＰＬ）が起動されると、ステップ０２へ進む。
【００３６】
ステップ０２では、ユーザの操作により、撮像補助シート３と用紙４とが撮像され、中央処理装置１２は、撮像画像を原画像データとして、メモリユニット１７の所定の領域に一時保存する。原画像データが保存されると、ステップ０３へ進む。
【００３７】
ステップ０３では、中央処理装置１２は、原画像データから、用紙４を検出する。用紙４の検出は、原画像データから用紙４と撮像補助シート３との色値の違いが検出され、色値の違いにより、用紙４の外郭が認識され、用紙４が検出される。用紙４が検出された場合、ステップ０４へ進む。一方、用紙４が検出されなかった場合、ステップ０２へ戻り、再度用紙４が撮像される。
【００３８】
ステップ０４では、中央処理装置１２は、検出された用紙４に相当する画像データを切り出し、切出画像データとしてメモリユニット１７に保存する。中央処理装置１２は、原画像データを保存する際、原画像データの採用が決定されたことを通知するため、シャッター音をスピーカ２０から出力させてもよい。なお、ステップ０３において用紙４を検出しなかった場合でも、ステップ０２で原画像を一時保存する際にシャッター音を発生させてもよい。原画像データが保存されると、画像処理が終了する。
【００３９】
なお、中央処理装置１２は、台形補正を行ってもよい。台形補正は、設定条件に応じて行えばよい。台形補正を行う場合、中央処理装置１２は、例えば、用紙４の外郭（エッジ）を認識し、斜め方向から撮影しているために台形状態となっているエッジを方形に補正（台形補正）する。台形補正には、既存の技術を適宜用いることができる。
【００４０】
ここで、以上の説明では、スマートフォン１で全ての処理を行う場合で説明したが、処理の一部は、ネットワーク５２を介して接続されたサーバ５４に実行させてもよい。
【００４１】
たとえば、カメラ１１により用紙４の撮影を行った後、中央処理装置１２は、原画像データを一旦メモリユニット１７に保存するとともに、通信インターフェース１８およびネットワーク５２を介してサーバ５４に送信する。
【００４２】
原画像データを受信したサーバ５４ではサーバに格納した画像処理アプリケーションプログラム（ＡＰＬ）に基づいて、原画像データから用紙４を検出し、検出された用紙４に相当する画像データを切り出して画像データとしてサーバ５４に保存するようにしてもよい。
【００４３】
サーバ５４に保存された画像データは、スマートフォン１からネットワーク５２を介してアクセスできるようにしてもよい。
【００４４】
＜＜効果＞＞
第１実施形態に係る画像処理システムでは、撮像補助シート３に被挿通部３０が設けられ、挿通具２４を挿通した状態で、撮像補助シート３が第１の位置と第２の位置とをスライド移動自在である。撮像補助シート３が第１の位置にある場合、ファイル２に綴じられた用紙４や撮像補助シート３を容易にめくることができる。また、撮像補助シート３が第
２の位置にある場合、撮像補助シート３の外周が用紙４の外周の外側に位置する。そのため、中央処理装置１２は、原画像データから用紙４と撮像補助シート３との色値の違いを検出して、ファイル２に綴じられた用紙４の外郭を容易に検出することができる。
【００４５】
＜他の実施形態＞
以下、他の実施形態について説明する。なお、既に説明した実施形態と同様の構成については同一符号を付し、詳細な説明は割愛する。
【００４６】
＜第２実施形態＞
図８は、第２実施形態に係る、撮像補助シート３ａが綴じられたファイル２を示す。第２実施形態に係る撮像補助シート３ａは、被挿通部３０に代わり、挿通具２４が挿通する細長状の綴じ孔部３０ａが、挿通具２４に対応する位置に２カ所設けられている。綴じ孔部３０ａは、通過部３１ａ、第１綴じ孔部３２ａ、スライド孔部３５ａ、第２綴じ孔部３３ａを含む。通過部３１ａは、撮像補助シート３ａの挿通具２４側の一側端に設けられ、間口は挿通具２４の径よりも大きく、他側端側（被挿通部側）に向けて徐々に狭くなっており、第１綴じ孔部３２ａと連通している。第１綴じ孔部３２ａは、綴じ孔部３０ａの挿通具２４側（一側端側）の端部に位置する。通過部３１ａは、挿通具２４の径よりも狭く形成されている。第２綴じ孔部３３ａは、綴じ孔部３０ａとは反対側（他側端側）の端部に設けられている。図９Ａに示すように、挿通具２４が第１の位置としての第１綴じ孔部３２ａにあるとき、撮像補助シート３ａの外周のうち、挿通具２４側（一側端側）の辺を除く３辺が、用紙４の外周の外側に位置する。一方、図９Ｂに示すように、挿通具２４が第２の位置としての第２綴じ孔部３３ａにあるとき、撮像補助シート３ａの全ての外周が用紙４の外周の外側に位置する。第１綴じ孔部３２ａおよび第２綴じ孔部３３ａは、ともに挿通具２４の断面積よりも大きい面積を有する略円形である。スライド孔部３５ａは、その幅が第１綴じ孔部３２ａおよび第２綴じ孔部３３ａの直径よりも短く、且つ挿通具２４がスライド移動することが可能な幅を有する。
【００４７】
第２実施形態に係る撮像補助シート３ａにおいても、挿通具２４を挿通した状態で、撮像補助シート３ａが第１の位置と第２の位置とをスライド移動自在である。撮像補助シート３ａが第１の位置にある場合、ファイル２に綴じられた用紙４や撮像補助シート３ａを容易にめくることができる。また、撮像補助シート３ａが第２の位置にある場合、撮像補助シート３ａの外周が用紙４の外周の外側に位置する。そのため、中央処理装置１２は、原画像データから用紙４と撮像補助シート３ａとの色値の違いを検出して、ファイル２に綴じられた用紙４の外郭を容易に検出することができる。また、第１の位置、第２の位置を夫々第１綴じ孔部３２ａ、第２綴じ孔部３３ａによって形成することで、撮像補助シート３ａの第１の位置又は第２の位置における移動を規制することができる。また、スライド孔部３５ａを備えることで、挿通具２４を開閉することなく、撮像補助シート３ａを第１の位置又は第２の位置へ自在に移動させることができる。更に、スライド孔部３５ａの幅が第１綴じ孔部３２ａおよび第２綴じ孔部３３ａの直径よりも短く、且つ挿通具２４がスライド移動することが可能な幅を有しているため、撮像補助シート３ａを第１の位置、又は第２の位置に誘導することができ、また、第１の位置、又は第２の位置での移動を規制することができる。
【００４８】
＜第３実施形態＞
図１０は、第３実施形態に係る、用紙４及び撮像補助シート３ｂが綴じられたファイル２を示す。第３実施形態に係る撮像補助シート３ｂは、袋状の外側シート６と、外側シート６に内包自在な長方形の内側シート７とによって構成されている。外側シート６の一側端には、挿通具２４に対応する位置に被挿通部３０が２カ所設けられている。これにより、外側シート６は、第１の位置と第２の位置との間をスライド自在である。また、外側シート６の他側端には、内側シート７を引き出すための半円状の切欠６１が設けられている
。
【００４９】
図１０（ａ）に示すように、外側シート６に内側シート７を内包し、かつ、外側シート６を第１の位置とすることで、第３実施形態に係る撮像補助シート３ｂを容易にめくることができる。図１０（ｂ）に示すように、外側シート６から内側シート７を引き出すことで、第３実施形態に係る撮像補助シート３ｂの表面積を増やすことができ、この状態で外側シート６を第２の位置へスライドすることで、図１０（ｃ）に示すように、第３実施形態に係る撮像補助シート３ｂの全ての外周が第１実施形態の用紙４よりも大きい用紙４ａの外周の外側に位置する。例えば、第１実施形態の用紙４がＡ４サイズであれば、第３実施形態の用紙４ａはＡ３サイズとすることができる。Ａ３サイズの用紙４ａを折り畳んでファイル２に綴じておき、外側シート６から内側シート７を引き出し、更に、外側シート６を第２の位置へスライドする。これにより、第３実施形態に係る撮像補助シート３ｂの全ての外周がＡ３サイズの用紙４ａの外周の外側に位置する。図１０（ｃ）に示す状態で、スマートフォン１のカメラ１１で用紙４ａ及び撮像補助シート３ｂを撮影することで、Ａ３サイズの用紙４ａを認識することが可能となる。
【００５０】
＜第４実施形態＞
図１１は、第４実施形態に係る、用紙４ａ及び撮像補助シート３ｃが綴じられたファイル２を示す。第４実施形態に係る撮像補助シート３ｃは、第１実施形態の撮像補助シート３の２倍の面積を有し、中央で折り畳み自在となっている。第４実施形態に係る撮像補助シート３ｃを開いた際の一側端には、挿通具２４に対応する位置に被挿通部３０が２カ所設けられている。これにより、第４実施形態に係る撮像補助シート３ｃは、第１の位置と第２の位置との間をスライド自在である。また、第４実施形態に係る撮像補助シート３ｃを開いた際の他側端には、第４実施形態に係る撮像補助シート３ｃを折り畳んだ際に挿通具２４を収容するためのＵ字状の切欠６２が設けられている。
【００５１】
図１１（ａ）に示すように、第４実施形態に係る撮像補助シート３ｃを折り畳み、かつ、第１の位置とすることで、撮像補助シート３ｃを容易にめくることができる。図１１（ｂ）に示すように、第４実施形態に係る撮像補助シート３ｃを開くことで、撮像補助シート３ｃの表面積を増やすことができる。また、第４実施形態に係る撮像補助シート３ｃを第２の位置へスライドすることで、図１１（ｃ）に示すように、撮像補助シート３ｃの全ての外周が第１実施形態の用紙４よりも大きい用紙４ａの外周の外側に位置する。例えば、第１実施形態の用紙４がＡ４サイズであれば、第４実施形態の用紙４ａはＡ３サイズとすることができる。図１１（ｃ）に示す状態で、スマートフォン１のカメラ１１で用紙４ａ及び撮像補助シート３ｃを撮影することで、例えばＡ３サイズの用紙４ａを認識することが可能となる。
【００５２】
＜第５実施形態＞
図１２は、第５実施形態に係る、用紙４ａ及び撮像補助シート３ｄが綴じられたファイル２を示す。第５実施形態に係る撮像補助シート３ｄは、第２内側シート７ａと、第２内側シート７ａを内包自在な第２外側シート６ａとによって構成されている。第２内側シート７ａは、第１実施形態に係る撮像補助シート３の構成と同じであり、一側端には、挿通具２４に対応する位置に被挿通部３０が２カ所設けられている。これにより、第２内側シート７ａは、第１の位置と第２の位置との間をスライド自在である。また、第２外側シート６ａは、袋状であり、第２内側シート７ａを内包自在である。また、第２外側シート６ａは、Ｃ字状であり、第２内側シート７ａを内包した際、一側端が挿通具２４と干渉しないよう構成されている。
【００５３】
図１２（ａ）に示すように、第２内側シート７ａを第２外側シート６ａに内包し、かつ、第２内側シート７ａを第１の位置とすることで、第５実施形態に係る撮像補助シート３
ｃを容易にめくることができる。図１２（ｂ）に示すように、第２外側シート６ａを引き出すことで、撮像補助シート３ｄの表面積を増やすことができる。第５実施形態に係る撮像補助シート３ｄは、第２外側シート６ａがＣ字状であるため、第４実施形態に係る撮像補助シート３ｃよりも総面積は小さい。但し、第２外側シート６ａを引き出した状態で第２内側シート７ａを第２の位置へスライドすることで、図１２（ｃ）に示すように、第５実施形態に係る撮像補助シート３ｄの全ての外周が第１実施形態の用紙４よりも大きい用紙４ａの外周の外側に位置する。例えば、第１実施形態の用紙４がＡ４サイズであれば、第５実施形態の用紙４ａはＡ３サイズとすることができる。図１２（ｃ）に示す状態で、スマートフォン１のカメラ１１で用紙４ａ及び撮像補助シート３ｄを撮影することで、例えばＡ３サイズの用紙４ａを認識することが可能となる。
【００５４】
＜第６実施形態＞
図１３は、第６実施形態に係る、用紙４及び撮像補助シート３ｅが綴じられたファイル２を示す。第６実施形態に係る撮像補助シート３ｅは、Ｅ字状の第３内側シート７ｂと、第３内側シート７ｂを内包自在な袋状の第３外側シート６ｂとによって構成されている。第３内側シート７ｂは、Ｅ字状であり、３本の帯状部７１が第３外側シート６ｂ一側端側（挿通具２４側）から引き出し自在である。第３外側シート６ｂの一側端には、挿通具２４に対応する位置に挿通具２４を挿通する孔６１が２カ所設けられている。
【００５５】
第６実施形態では、図１３（ａ）に示すように、第３内側シート７ｂが第３外側シート６ｂに内包された状態が、第６実施形態に係る撮像補助シート３における第１の位置となる。この状態では、第６実施形態に係る撮像補助シート３ｅを容易にめくることができる。図１３（ｂ）に示すように、第３内側シート７ｂを引き出した状態が、第６実施形態に係る撮像補助シート３ｅにおける第２の位置となる。この状態では、第３内側シート７ｂが引き出されることで、第６実施形態に係る撮像補助シート３ｅの周囲が用紙４の周囲の外側に位置することになる。すなわち、図１３（ｂ）に示す状態で、スマートフォン１のカメラ１１で用紙４及び撮像補助シート３を撮影することで、用紙４を認識することが可能となる。なお、第３内側シート７ｂがＥ字状であるため、帯状部７１同士の間では、用紙４の裏側に撮像補助シート３ｅが配置されなくなる。但し、帯状部７１同士の間は、帯状部７１上にある用紙４の外周を結ぶよう中央処理装置１２で保管処理を行えばよい。
【００５６】
＜第７実施形態＞
図１４は、第７実施形態に係る、用紙４及び撮像補助シート３ｆが綴じられたファイル２を示す。第７実施形態に係る撮像補助シート３ｆは、第３実施形態に係る撮像補助シート３ｂと、第６実施形態に係る撮像補助シート３ｅの双方の機能を兼ね備える。具体的には、第７実施形態に係る撮像補助シート３ｆは、袋状の第４外側シート６ｃと、第４外側シート６ｃに内包されるＥ字状の第３内側シート７ｂと、同じく第４外側シート６ｃに内包される長方形の内側シート７とによって構成されている。第４外側シート６ｃは、左右方向の両側端が開放されており、一側端側（挿通具２４側）からはＥ字状の第３内側シート７ｂが引き出し自在であり、他端側（挿通具２４の反対側）からは長方形の内側シート７が引き出し自在である。
【００５７】
第７実施形態では、図１４（ａ）に示すように、第３内側シート７ｂ及び内側シート７が第４外側シート６ｃに内包され、かつ、第７実施形態に係る撮像補助シート３ｆが第１の位置にあることで、撮像補助シート３ｆを容易にめくることができる。図１４（ｂ）に示すように、第３内側シート７ｂを十分に引き出した状態では、ファイル２の表表紙２１側にある用紙４の認識が可能となる。すなわち、第３内側シート７ｂが引き出されることで、第７実施形態に係る撮像補助シート３ｆを構成する第３内側シート７ｂの周囲が表表紙２１側にある用紙４の周囲の外側に位置することになる。したがって、図１４（ｂ）に示す状態で、スマートフォン１のカメラ１１で表表紙２１側にある用紙４及び第７実施形
態に係る撮像補助シート３ｆを構成する第３内側シート７ｂを撮影することで、表表紙２１側にある用紙４を認識することが可能となる。また、図１４（ｃ）に示すように、内側シート７と第３内側シート７ｂとをともに引き出すことで、第７実施形態に係る撮像補助シート３を構成する、第４外側シート６ｃ及び内側シート７の外周が、裏表紙２３側にある、例えばＡ３サイズの用紙４ａの外周の外側に位置する。すなわち、第３内側シート７ｂを引き出した状態が、第７実施形態に係る撮像補助シート３ｅにおける第２の位置となる。図１４（ｃ）に示す状態で、スマートフォン１のカメラ１１で用紙４ａ及び撮像補助シート３を撮影することで、Ａ３サイズの用紙４ａを認識することが可能となる。第７実施形態に係る撮像補助シート３ｆでは、例えばＡ４サイズの用紙４とＡ３サイズの用紙４ａが連続して綴じられている場合にも、表表紙２１側でＡ４サイズの用紙４を認識し、裏表紙２３側でＡ３サイズの用紙４ａを認識することが可能となる。また、Ａ４サイズの用紙４であれば、用紙４をめくるだけで、用紙４の両面を認識することができる。
【００５８】
＜第８実施形態＞
図１５は、第８実施形態に係る、用紙４及び撮像補助シート３ｇが綴じられたファイル２を示す。第８実施形態に係る撮像補助シート３ｇは、被挿通部３０ａが一側端から他側端に向けて延び、第２端部３３ｂが当該他側端の近傍に位置している。そのため、第２の位置は、撮像補助シート３ｇが、第２端部３３ｂが挿通部２４の近傍に至る位置にある必要はなく、第８実施形態に係る撮像補助シート３ｇの外周が用紙４の外周の外側にくる位置であれば任意の位置でよい。第８実施形態に係る撮像補助シート３ｇは、第１の位置と第２の位置との間をスライド自在であり、第１の位置では撮像補助シート３ｇを容易にめくることができる。また、第２の位置では、用紙４を認識することが可能となる。
【００５９】
なお、図１５に示すように、第８実施形態に係る撮像補助シート３ｇは、裏表紙２３側にある第８実施形態に係る撮像補助シート３ｇ（図１５（ａ））をめくって表表紙２１側に移動させ（図１５（ｂ））、更に、撮像補助シート３ｇを裏表紙２３側にスライドさせることができる。その結果、例えば、裏表紙２３側にある用紙４の一部を押さえることが可能となり、第８実施形態に係る撮像補助シート３ｇは、第二の位置にあるときにはファイルが不意に閉じることを抑制することもできる。
【００６０】
＜第９実施形態＞
図１６は、第９実施形態に係る、用紙４及び撮像補助シート３が綴じられたファイル２を示す。図１６では、用紙４を一点鎖線で示す。第９実施形態に係る撮像補助シート３ｈは、被挿通部３０ｃが十字状である。したがって、撮像補助シート３ｈは、左右方向だけでなく、上下方向にもスライド自在である。図１６（Ａ）は、撮像補助シート３ｈが第１の位置にある状態を示す。この状態では、撮像補助シート３ｈを容易にめくることができる。図１６（Ｂ）は、撮像補助シート３ｈが第３の位置にある状態を示す。この状態では、撮像補助シート３ｈが上側に寄ることから、例えば、撮像補助シート３ｈをしおりとして機能させることができる。図１６（Ｃ）は、撮像補助シート３ｈが第２の位置にある状態を示す。この状態では、撮像補助シート３ｈの周囲が用紙４の周囲の外側に位置する。この状態で撮像補助シート３ｈと用紙４をスマートフォン１のカメラ１１で撮影することで、用紙４を認識することができる。図１６（Ｄ）は、撮像補助シート３ｈが第４の位置にある状態を示す。この状態では、撮像補助シート３ｈが下側に寄ることから、例えば、撮像補助シート３ｈをしおりとして機能させることができる。
【００６１】
撮像補助シート３ｈが第３の位置や第４の位置にある場合においても撮像補助シート３ｈの周囲が用紙４の周囲の外側に位置するようにしてもよい。これにより、撮像補助シート３ｈが第３の位置や第４の位置にある場合においても用紙４の認識が可能となる。この場合、撮像補助シート３ｈが第２の位置、第３の位置、第４の位置の何れにある場合でも用紙４の認識が可能となるが、撮像補助シート３ｈの露出の態様は夫々異なってくる。そ
こで、撮像補助シート３ｈの露出の態様によって、中央処理装置１２が行う処理を変更するようにしてもよい。例えば、中央処理装置１２は、撮像補助シート３ｈが第２の位置にある場合、用紙４の周囲に露出する撮像補助シート３ｈが均等と判断する。この場合、中央処理装置１２は、認識した用紙４に対応する画像データをメモリユニット１７に保存する。また、中央処理装置１２は、撮像補助シート３が第３の位置にある場合、用紙４の上側の撮像補助シート３の露出面積が用紙４の下側の撮像補助シート３の露出面積よりも少ないと判断する。この場合、中央処理装置１２は、認識した用紙４に対応する画像データをサーバ５４のメモリに保存させる。また、中央処理装置１２は、撮像補助シート３ｈが第４の位置にある場合、用紙４の上側の撮像補助シート３ｈの露出面積が用紙４の下側の撮像補助シート３ｈの露出面積よりも多いと判断する。この場合、中央処理装置１２は、認識した用紙４に対応する画像データの保存先を選択させる画面を表示させ、選択に応じて画像データを保存する。このように、被挿通部３０ｃの形状を工夫することで、更なる機能を持たせることができる。
【００６２】
＜第１０実施形態＞
図１７は、第１０実施形態に係る、用紙４及び撮像補助シート３が綴じられたファイル２を示す。第１０実施形態に係る撮像補助シート３は、被挿通部３０ｄがＬ字状である。その結果、撮像補助シート３ｉは、左右方向だけでなく、下方向にもスライド自在である。図１７（Ａ）は、撮像補助シート３が第１の位置にある状態を示す。この状態では、撮像補助シート３ｉを容易にめくることができる。図１７（Ｂ）は、撮像補助シート３ｉが第２の位置にある状態を示す。この状態では、撮像補助シート３ｉの周囲が用紙４の周囲の外側に位置する。この状態で撮像補助シート３ｉと用紙４をスマートフォン１のカメラ１１で撮影することで、用紙４を認識することができる。図１７（Ｃ）は、撮像補助シート３ｉが第４の位置にある状態を示す。この状態では、撮像補助シート３ｉが上側に寄ることから、例えば、撮像補助シート３ｉをしおりとして機能させることができる。
【００６３】
なお、第１０実施形態に係る撮像補助シート３が第４の位置にある場合においても撮像補助シート３ｉの周囲が用紙４の周囲の外側に位置するようにしてもよい。これにより、撮像補助シート３ｉが第４の位置にある場合においても用紙４の認識が可能となる。この場合、撮像補助シート３ｉが第２の位置、第４の位置の何れにある場合でも用紙４の認識が可能となるが、撮像補助シート３ｉの露出の態様は夫々異なってくる。そこで、例えば、中央処理装置１２は、撮像補助シート３ｉが第２の位置にある場合、用紙４の周囲に露出する撮像補助シート３ｉが均等と判断し、認識した用紙４に対応する画像データをメモリユニット１７に保存する。また、中央処理装置１２は、撮像補助シート３が第４の位置にある場合、用紙４の上側の撮像補助シート３の露出面積が用紙４の下側の撮像補助シート３の露出面積よりも多いと判断し、認識した用紙４に対応する画像データをサーバ５４のメモリに保存させる。このように、被挿通部３０ｃの形状を工夫することで、更なる機能を持たせることができる。
【００６４】
なお、上記した種々の内容は、本発明の技術的思想を逸脱しない範囲に於いて可能な限り組合せることができる。
【符号の説明】
【００６５】
１・・・スマートフォン
２・・・ファイル
３・・・撮像補助シート
４・・・用紙
【図１】
2014120935.tif 000003
【図２】
2014120935.tif 000004
【図３】
2014120935.tif 000005
【図４】
2014120935.tif 000006
【図５Ａ】
2014120935.tif 000007
【図５Ｂ】
2014120935.tif 000008
【図６Ａ】
2014120935.tif 000009
【図６Ｂ】
2014120935.tif 000010
【図７】
2014120935.tif 000011
【図８】
2014120935.tif 000012
【図９Ａ】
2014120935.tif 000013
【図９Ｂ】
2014120935.tif 000014
【図１０】
2014120935.tif 000015
【図１１】
2014120935.tif 000016
【図１２】
2014120935.tif 000017
【図１３】
2014120935.tif 000018
【図１４】
2014120935.tif 000019
【図１５】
2014120935.tif 000020
【図１６】
2014120935.tif 000021
【図１７】
2014120935.tif 000022